(57)【要約】      （修正有）【課題】飲料製品を店頭で販売する場合のみならず、飲料製品を自動販売機にて販売する場合にも景品を配布することができる容器を提供する。【解決手段】全体として飲料容器と同様の形状を有する、景品収容用の容器であって、結合・分離が可能な上部容器本体２と下部容器本体３とを備えており、上部容器本体２の下部および下部容器本体３の上部には、互いに重なり合う上部重合部２３および下部重合部３１が設けられており、上部容器本体２の上部重合部２３と下部容器本体３の下部重合部３１とを互いに容器軸方向にスライドさせることにより、上部容器本体２と下部容器本体３とは結合・分離し、さらに容器内には、景品を保持する円筒状の錘４が設けられている。【選択図】図２
0003159519.tif 000002
【実用新案登録請求の範囲】
【請求項１】
全体として飲料容器と同様の形状を有する、景品収容用の容器であって、
結合・分離が可能な上部容器本体と下部容器本体とを備えており、
前記上部容器本体の下部および前記下部容器本体の上部には、互いに重なり合う重合部が設けられており、
前記上部容器本体の重合部と前記下部容器本体の重合部とを互いに容器軸方向にスライドさせることにより、前記上部容器本体と前記下部容器本体とは結合・分離する
ことを特徴とする容器。
【請求項２】
自動販売機で取り扱い可能な形状を有する、景品収容用の容器であって、
結合・分離が可能な上部容器本体と下部容器本体とを備えており、
前記上部容器本体の下部および前記下部容器本体の上部には、互いに重なり合う重合部が設けられており、
前記上部容器本体の重合部と前記下部容器本体の重合部とを互いに容器軸方向にスライドさせることにより、前記上部容器本体と前記下部容器本体とは結合・分離する
ことを特徴とする容器。
【請求項３】
全体として飲料容器と同様の形状を有する、景品収容用の容器であって、
結合・分離が可能な上部容器本体と下部容器本体とを備えており、
前記景品が布類である
ことを特徴とする容器。
【請求項４】
自動販売機で取り扱い可能な形状を有する、景品収容用の容器であって、
結合・分離が可能な上部容器本体と下部容器本体とを備えており、
前記景品が布類である
ことを特徴とする容器。
【請求項５】
景品を収容したときに自動販売機で排出可能な質量になるように、錘を備えたことを特徴とする請求項１〜４のいずれかに記載の容器。
【請求項６】
自動販売機で取り扱い可能な形状を有するとともに、内容物を収容したときに自動販売機で排出可能な質量になるように、容器本体以外の部材として錘を備えたことを特徴とする容器。
【請求項７】
景品収容用の容器であることを特徴とする請求項６に記載の容器。
【請求項８】
結合・分離が可能な上部容器本体と下部容器本体とを備えていることを特徴とする請求項６または７に記載の容器。
【請求項９】
前記上部容器本体の下部および前記下部容器本体の上部には、互いに重なり合う重合部が設けられており、
前記上部容器本体の重合部と前記下部容器本体の重合部とを互いに嵌合させることにより、前記上部容器本体と前記下部容器本体とは結合・分離する
ことを特徴とする請求項８に記載の容器。
【請求項１０】
前記上部容器本体の重合部と前記下部容器本体の重合部とを互いに容器軸方向にスライドさせることにより、前記上部容器本体と前記下部容器本体とは結合・分離することを特徴とする請求項９に記載の容器。
【請求項１１】
前記景品が布類であることを特徴とする請求項１、２、５、７〜１０のいずれかに記載の容器。
【請求項１２】
前記布類が衣服であることを特徴とする請求項３、４および１１のいずれかに記載の容器。
【請求項１３】
前記衣服がＴシャツであることを特徴とする請求項１２に記載の容器。
【請求項１４】
前記錘が環状であることを特徴とする請求項５、６〜１０のいずれかに記載の容器。
【請求項１５】
前記錘が円筒状であることを特徴とする請求項１４に記載の容器。
【請求項１６】
前記錘の外径は、容器本体内にて前記錘が位置する部分における前記容器本体の内径よりも若干小さい大きさであることを特徴とする請求項１４または１５に記載の容器。
【請求項１７】
前記錘の内径は、前記錘の内側に所望の収容物を保持することのできる大きさであることを特徴とする請求項１４〜１６のいずれかに記載の容器。
【請求項１８】
前記錘には、シート類が挿入可能なスリットが形成されていることを特徴とする請求項１４〜１７のいずれかに記載の容器。
【請求項１９】
前記スリットは、前記錘にて２つ形成されていることを特徴とする請求項１８に記載の容器。
【請求項２０】
前記２つのスリットは、前記環状の錘の略直径上に位置することを特徴とする請求項１９に記載の容器。
【請求項２１】
前記スリットは、前記錘にて垂直方向に延在していることを特徴とする請求項１８〜２０のいずれかに記載の容器。
【請求項２２】
前記錘は写真立てを構成することを特徴とする請求項１８〜２１のいずれかに記載の容器。
【請求項２３】
前記錘の質量は、当該容器、内容物および前記錘の合計質量が４００〜６００ｇとなるように設定されることを特徴とする請求項５、６〜１０、１４〜２２のいずれかに記載の容器。
【請求項２４】
前記錘の質量は、１００〜５００ｇであることを特徴とする請求項５、６〜１０、１４〜２３のいずれかに記載の容器。
【請求項２５】
前記容器本体には、内方に向かって凸になった凸部が形成されており、前記錘は、前記凸部に係合することで前記容器本体内に保持されることを特徴とする請求項１４〜２４のいずれかに記載の容器。
【請求項２６】
前記凸部は、前記容器本体に形成された括れ部によって構成されることを特徴とする請求項２５に記載の容器。
【請求項２７】
前記錘は、環状であり、前記上部容器本体と前記下部容器本体との重なり部分の若干内側に位置することを特徴とする請求項５、９および１０のいずれかに記載の容器。
【請求項２８】
前記上部容器本体の重合部は、前記下部容器本体の重合部の内側に挿入されることを特徴とする請求項１、２、９および１０のいずれかに記載の容器。
【請求項２９】
前記容器は、全体として、自動販売機で取り扱い可能な飲料用ペットボトルと同様の形状を有することを特徴とする請求項１〜２８のいずれかに記載の容器。
【請求項３０】
前記容器は、キャップと、容器本体とを備えており、
前記容器本体は、全体として、前記キャップが取り付けられる口部と、前記口部に連続し下方にかけて漸次拡径する肩部と、前記肩部に連続する円筒状の胴部と、前記胴部に連続する括れ部と、前記括れ部に連続し下方にかけて若干縮径する底部とを有する
ことを特徴とする請求項１〜２９に記載の容器。
【請求項３１】
前記容器本体は、結合・分離が可能な上部容器本体と下部容器本体とから構成され、
前記上部容器本体は、前記口部、前記肩部および前記胴部を有しており、
前記下部容器本体は、前記胴部、前記括れ部および前記底部を有しており、
前記上部容器本体の胴部と、前記下部容器本体の胴部とが互いに重なることにより、前記上部容器本体と前記下部容器本体とは結合する
ことを特徴とする請求項３０に記載の容器。
【請求項３２】
前記上部容器本体の胴部は、前記下部容器本体の胴部の内側に挿入されることを特徴とする請求項３１に記載の容器。
【請求項３３】
前記容器本体の円筒状の胴部の内側に、円筒状の錘が位置することを特徴とする請求項３２に記載の容器。
【請求項３４】
前記円筒状の錘の内側に景品が保持されていることを特徴とする請求項３３に記載の容器。
【請求項３５】
前記上部容器本体は、上端において２．５〜９ｃｍ２、下端において２０〜８０ｃｍ２の面積の開口部を有しており、前記下部容器本体は、上端において２０〜８０ｃｍ２の面積の開口部を有していることを特徴とする請求項１〜５、８〜１０、２７、２８、３１〜３４に記載の容器。
【請求項３６】
前記上部容器本体と前記下部容器本体とが重なり合う高さは、１．５〜７ｃｍであることを特徴とする請求項１〜５、８〜１０、２７、２８、３１〜３４に記載の容器。
【考案の詳細な説明】
【技術分野】
【０００１】
本考案は、容器に関するものであり、特に、例えば景品を収容することができる容器や、自動販売機で取り扱い可能な容器に関するものである。
【背景技術】
【０００２】
飲料製品の販売促進の手法の一つとして、従来から、所定の飲料製品を購入した消費者に景品を配布することが行われている。景品を配布する方法としては、ペット（ＰＥＴ；ポリエチレンテレフタレート）ボトルなどの飲料容器に景品を収納した袋や箱を取り付けたり、飲料購入時にレジで消費者にくじを引かせたり、飲料容器に応募シールを貼付しておき、消費者に所定の枚数の応募シールを集めさせて応募させたりするものがある。
【０００３】
特にＴシャツなどの衣類を景品とする場合には、大きさの問題により、景品を収納した袋や箱を飲料容器に取り付けておくことが困難であるため、飲料購入時にレジで消費者にくじを引かせたり、飲料容器に応募シールを貼付しておき、消費者に応募シールを集めさせて応募させたりする方法が用いられる。
【考案の概要】
【考案が解決しようとする課題】
【０００４】
しかしながら、飲料購入時にレジで消費者にくじを引かせて景品を配布する方法は、飲料を店頭販売することが必要となり、飲料を自動販売機にて販売する場合には用いることができないという問題がある。また、飲料容器に応募シールを貼付しておく方法は、飲料を自動販売機にて販売する場合にも用いることができるが、消費者はその場で景品を貰うことができず、更に、消費者には応募をするという手間がかかってくるため、販売促進の効果が他の方法ほど顕著には表れないという問題がある。
【０００５】
本考案は、このような実状に鑑みてなされたものであり、飲料製品を店頭で販売する場合のみならず、飲料製品を自動販売機にて販売する場合にも景品を配布することができる容器を提供することを目的とする。
【課題を解決するための手段】
【０００６】
上記課題を解決するために、第一に、本考案は、全体として飲料容器と同様の形状を有する、景品収容用の容器であって、結合・分離が可能な上部容器本体と下部容器本体とを備えており、前記上部容器本体の下部および前記下部容器本体の上部には、互いに重なり合う重合部が設けられており、前記上部容器本体の重合部と前記下部容器本体の重合部とを互いに容器軸方向にスライドさせることにより、前記上部容器本体と前記下部容器本体とは結合・分離することを特徴とする容器を提供し（考案１）、第二に、本考案は、自動販売機で取り扱い可能な形状を有する、景品収容用の容器であって、結合・分離が可能な上部容器本体と下部容器本体とを備えており、前記上部容器本体の下部および前記下部容器本体の上部には、互いに重なり合う重合部が設けられており、前記上部容器本体の重合部と前記下部容器本体の重合部とを互いに容器軸方向にスライドさせることにより、前記上部容器本体と前記下部容器本体とは結合・分離することを特徴とする容器を提供する（考案２）。
【０００７】
上記考案（考案１および２）によれば、上部容器本体と下部容器本体とを分離して景品を容器の内部に収容した後、上部容器本体と下部容器本体とを結合させることにより、全体として飲料容器と同様の形状を有する容器、または自動販売機で取り扱い可能な形状を有する容器に景品を収容できるため、飲料容器を取り扱い可能な自動販売機に、景品を収容した容器を取り扱わせることができる。
【０００８】
第三に、本考案は、全体として飲料容器と同様の形状を有する、景品収容用の容器であって、結合・分離が可能な上部容器本体と下部容器本体とを備えており、前記景品が布類であることを特徴とする容器を提供し（考案３）、第四に、本考案は、自動販売機で取り扱い可能な形状を有する、景品収容用の容器であって、結合・分離が可能な上部容器本体と下部容器本体とを備えており、前記景品が布類であることを特徴とする容器を提供する（考案４）。
【０００９】
上記考案（考案３および４）によれば、上部容器本体と下部容器本体とを分離して景品を容器の内部に収容した後、上部容器本体と下部容器本体とを結合させることにより、全体として飲料容器と同様の形状を有する容器、または自動販売機で取り扱い可能な形状を有する容器に布類を景品として収容できるため、飲料容器を取り扱い可能な自動販売機に、布類を景品として収容した容器を取り扱わせることができる。
【００１０】
上記考案（考案１〜４）においては、景品を収容したときに自動販売機で排出可能な質量になるように、錘を備えていることが好ましい（考案５）。
【００１１】
上記考案（考案５）によれば、景品を収容したときの容器と景品の合計質量が自動販売機で排出可能な質量に足りない場合でも、自動販売機においても取り扱うことができ、飲料製品と同じように排出することができる。
【００１２】
第五に、本考案は、自動販売機で取り扱い可能な形状を有するとともに、内容物を収容したときに自動販売機で排出可能な質量になるように、容器本体以外の部材として錘を備えたことを特徴とする容器を提供する（考案６）。
【００１３】
上記考案（考案６）においては、景品収容用の容器であることが好ましく（考案７）、また上記考案（考案６および７）においては、結合・分離が可能な上部容器本体と下部容器本体とを備えていることが好ましい（考案８）。また、上記考案（考案８）においては、前記上部容器本体の下部および前記下部容器本体の上部には、互いに重なり合う重合部が設けられており、前記上部容器本体の重合部と前記下部容器本体の重合部とを互いに嵌合させることにより、前記上部容器本体と前記下部容器本体とは結合・分離することが好ましい（考案９）。さらに、上記考案（考案９）においては、前記上部容器本体の重合部と前記下部容器本体の重合部とを互いに容器軸方向にスライドさせることにより、前記上部容器本体と前記下部容器本体とは結合・分離することが好ましい（考案１０）。
【００１４】
上記考案（考案１、２、５、７〜１０）においては、前記景品が布類であってもよく（考案１１）、上記考案（考案３、４および１１）においては、前記布類が衣服であってもよく（考案１２）、上記考案（考案１２）においては、前記衣服がＴシャツであってもよい（考案１３）。
【００１５】
上記考案（考案５、６〜１０）においては、前記錘が環状であることが好ましく（考案１４）、特に、上記考案（考案１４）においては、前記錘が円筒状であることが好ましい（考案１５）。また、上記考案（考案１４および１５）において、前記錘の外径は、容器本体内にて前記錘が位置する部分における前記容器本体の内径よりも若干小さい大きさであることが好ましく（考案１６）、さらに上記考案（考案１４〜１６）において、前記錘の内径は、前記錘の内側に所望の収容物を保持することのできる大きさであることが好ましい（考案１７）。
【００１６】
上記考案（考案１４〜１７）によれば、例えばＴシャツ等の衣服を折り畳み、折り畳んだものをロール状に巻いて錘に通すことができ、その状態で容器本体に収容することができる。
【００１７】
上記考案（考案１４〜１７）において、前記錘には、シート類が挿入可能なスリットが形成されていてもよく（考案１８）、上記考案（考案１８）において、前記スリットは、前記錘にて２つ形成されていることが好ましい（考案１９）。また、上記考案（考案１９）において、前記２つのスリットは、前記環状の錘の略直径上に位置することが好ましく（考案２０）、上記考案（考案１８〜２０）において、前記スリットは、前記錘にて垂直方向に延在していることが好ましい（考案２１）。
【００１８】
上記考案（考案１８〜２１）によれば、例えば机や棚などの上に置いた錘に、写真や紙などのシート類を保持させることができる。また、上記考案（考案１８〜２１）において、前記錘は写真立てを構成してもよい（考案２２）。
【００１９】
上記考案（５、６〜１０、１４〜２２）において、前記錘の質量は、当該容器、内容物および前記錘の合計質量が４００〜６００ｇとなるように設定されることが好ましく（考案２３）、さらに、上記考案（５、６〜１０、１４〜２３）において、前記錘の質量は、１００〜５００ｇであることが好ましい（考案２４）。
【００２０】
上記考案（考案２３および２４）によれば、景品を収容した容器を自動販売機においても取り扱うことができ、飲料製品と同じように自動販売機から排出することができる。
【００２１】
上記考案（考案１４〜２４）において、前記容器本体には、内方に向かって凸になった凸部が形成されており、前記錘は、前記凸部に係合することで前記容器本体内に保持されることが好ましく（考案２５）、上記考案（考案２５）において、前記凸部は、前記容器本体に形成された括れ部によって構成されていてもよい（考案２６）。
【００２２】
上記考案（考案２５および２６）によれば、容器の重心が所望の位置にくるように、あるいは景品を安定的に収容することができるように、錘を容器内の所望の位置に保持することができる。
【００２３】
上記考案（考案５、９および１０）において、前記錘は、環状であり、前記上部容器本体と前記下部容器本体との重なり部分の若干内側に位置することが好ましく（考案２７）、上記考案（考案１、２、９および１０）において、前記上部容器本体の重合部は、前記下部容器本体の重合部の内側に挿入されることが好ましい（考案２８）。
【００２４】
上記考案（考案１〜２８）においては、前記容器は、全体として、自動販売機で取り扱い可能な飲料用ペットボトルと同様の形状を有することが好ましい（考案２９）。また、上記考案（考案１〜２９）においては、前記容器は、キャップと、容器本体とを備えており、前記容器本体は、全体として、前記キャップが取り付けられる口部と、前記口部に連続し下方にかけて漸次拡径する肩部と、前記肩部に連続する円筒状の胴部と、前記胴部に連続する括れ部と、前記括れ部に連続し下方にかけて若干縮径する底部とを有していてもよい（考案３０）。
【００２５】
さらに、上記考案（考案３０）においては、前記容器本体は、結合・分離が可能な上部容器本体と下部容器本体とから構成され、前記上部容器本体は、前記口部、前記肩部および前記胴部を有しており、前記下部容器本体は、前記胴部、前記括れ部および前記底部を有しており、前記上部容器本体の胴部と、前記下部容器本体の胴部とが互いに重なることにより、前記上部容器本体と前記下部容器本体とは結合してもよいし（考案３１）、上記考案（考案３１）において、前記上部容器本体の胴部は、前記下部容器本体の胴部の内側に挿入されてもよいし（考案３２）、上記考案（考案３２）において、前記容器本体の円筒状の胴部の内側に、円筒状の錘が位置してもよいし（考案３３）、上記考案（考案３３）において、前記円筒状の錘の内側に景品が保持されていてもよい（考案３４）。
【００２６】
上記考案（考案１〜５、８〜１０、２７、２８、３１〜３４）において、前記上部容器本体は、上端において２．５〜９ｃｍ２、下端において２０〜８０ｃｍ２の面積の開口部を有しており、前記下部容器本体は、上端において２０〜８０ｃｍ２の面積の開口部を有していてもよい（考案３５）。かかる考案（考案３５）によれば、上部容器本体の上端開口部から景品を入れられない場合でも、上部容器本体の下端開口部および下部容器本体の上端開口部から景品を入れることができる。
【００２７】
上記考案（考案１〜５、８〜１０、２７、２８、３１〜３４）において、前記上部容器本体と前記下部容器本体とが重なり合う高さは、１．５〜７ｃｍであることが好ましい（考案３６）。かかる考案（考案３６）によれば、上部容器本体と下部容器本体とが容易に分離してしまうことを防止することができる。
【考案の効果】
【００２８】
本考案に係る容器によれば、飲料製品を店頭で販売する場合のみならず、飲料製品を自動販売機にて販売する場合にも景品を配布することができる。
【図面の簡単な説明】
【００２９】
【図１】本考案の一実施形態に係る容器の斜視図である。
【図２】同実施形態に係る容器の分解斜視図である。
【図３】同実施形態に係る容器の正面図である。
【図４】同実施形態に係る容器の断面図（図３におけるＡ−Ａ断面図）である。
【図５】同実施形態に係る容器の使用状態を示す部分断面図である。
【考案を実施するための形態】
【００３０】
以下、本考案の一実施形態について、図面に基づいて説明する。
図１は、本考案の一実施形態に係る容器の斜視図であり、図２は、同実施形態に係る容器の分解状態を示す斜視図であり、図３は、同実施形態に係る容器の正面図であり、図４は、同実施形態に係る容器断面図（図３におけるＡ−Ａ断面図）であり、図５は、同実施形態に係る容器の使用状態を示す部分断面図である。
【００３１】
まず、本実施形態に係る容器１の構成を説明する。図１に示すように、本実施形態における容器１は、容器本体１０と、容器本体１０内に収容された錘４と、容器本体１０に取り付けられたキャップ５とから構成される。そして、容器本体１０は、上部容器本体２と、下部容器本体３とから構成され、容器本体１０の中央近傍の胴部１１において、上部容器本体２と下部容器本体３と錘４とが重なり合う構造となっている。
【００３２】
上部容器本体２は、図２に示すように、上から順に、口部２１と、肩部２２と、胴部とから構成され、胴部は、下部容器本体３と重なる重合部（上部重合部２３）となっており、各部位は連続的に成形されている。
【００３３】
口部２１は、上端に開口部を有し、キャップ５が螺着し得るようにねじ山を有する略円筒状となっている。本実施形態における口部２１の上端開口部の直径は、通常の飲料用ペットボトルと同様に、１．８〜３．４ｃｍ程度であり、したがってその面積は、２．５〜９ｃｍ２程度である。なお、口部２１の下端部には、フランジ部２１１が形成されている。
【００３４】
肩部２２は、口部２１に連続し、下方にかけて漸次拡径する略円錐台状となっている。上部重合部２３は、肩部２２に連続する円筒状となっており、下端は開口部となっている。
【００３５】
下部容器本体３は、図２に示すように、上から順に、胴部と、括れ部３２と、底部３３とから構成され、胴部は、上部容器本体２の上部重合部２３と重なる重合部（下部重合部３１）となっており、各部位は連続的に成形されている。
【００３６】
下部重合部３１は円筒状であり、上端は開口部となっている。この下部重合部３１の外周面には、商品名等を示すラベル（シュリンクラベル）が装着されてもよい。
【００３７】
本実施形態における下部重合部３１の上端開口部の直径（下部重合部３１の内径）は、５〜１０ｃｍ程度であり、したがってその面積は、２０〜８０ｃｍ２程度である。なお、上部容器本体２の上部重合部２３は、下部容器本体３の下部重合部３１に挿入され、その状態で両者は間隙なく接するため、上部重合部２３の外径は、下部重合部３１の内径と略同じか、僅かに小さくなるように設定される。これにより、上部重合部２３の下端開口部の面積も、２０〜８０ｃｍ２程度となる。
【００３８】
括れ部３２は、下部重合部３１に連続し、断面が略円形状となっており、上端の断面と下端の断面は略同一径となっている。この括れ部３２は、下方にかけて漸次縮径した後、再度漸次拡径しており、上下方向の略中央部分が内方に向かって最も凸になるように、括れた形状となっている。このような括れ部３２があることにより、デザイン性に優れるとともに、容器１を手で掴み易くすることができ、特に、自動販売機の商品取り出し口から容器１を取り出す時に掴み易くなる。
【００３９】
底部３３は、括れ部３２に連続し、下方にかけて若干縮径する形状となっている。本実施形態における底部３３には、通常の炭酸飲料用ペットボトルと同様に、窪み部３３２を介して５つの脚部３３１が形成されており、デザイン的に面白みのあるものとなっている。
【００４０】
ここで、上部容器本体２と下部容器本体３とが重なり合う高さは、上部重合部上部重合部２３および下部重合部３１の高さと略同じであり、１．５〜７ｃｍであることが好ましい。これにより、上部容器本体２と下部容器本体３とが容易に分離してしまうことを防止することができる。
【００４１】
本実施形態においては、上部容器本体２および下部容器本体３の材質は、飲料容器に通常使用されるものと同じポリエチレンテレフタレート（ＰＥＴ）であるが、これに限られるものではなく、例えば他の材質のプラスチック製でもよいし、アルミニウムなどの金属製でもよい。上部容器本体２および下部容器本体３の厚みは、一般的な飲料容器と略同程度である。また、本実施形態における上部容器本体２および下部容器本体３は、無色透明であり、容器１内の収容物が見えるようになっている。
【００４２】
キャップ５は、飲料容器に通常使用されるものと同様の形状および材質となっており、上部容器本体２の口部２１に螺着し得るように、内側にねじ山を有する。
【００４３】
錘４は、図２に示すように、円筒状となっており、上部側には２つのスリット４１が垂直方向に形成されている。２つのスリット４１は、錘４の上端における略直径上に位置しており、円筒高の略半分程度の長さで延びている。この２つのスリット４１には、写真や紙などのシート類が挿入可能である。したがって、錘４を容器１から取り出して、机や棚などの上に置くことにより、錘４を写真立てや、メモ紙立て、カード立て等としても使用することができる。
【００４４】
錘４の重さは、容器１（容器本体１０＋錘４＋キャップ５）と、容器１内に収容する収容物（本実施形態では、例えば布類等の景品）との合計質量が４００〜６００ｇになるように設定されることが好ましい。Ｔシャツ等の布類を通常の飲料用ペットボトルのような容器に入れた場合、布類の質量が飲料の質量よりもかなり軽いため、布類を含む容器全体の合計質量も飲料入りの容器よりもかなり軽くなる。自動販売機においてそのような容器を取り扱おうとすると、重量不足でうまく排出することができないが、布類を含む容器１全体の合計質量が上記範囲にあれば、自動販売機において通常の飲料製品と同じように排出することができる。
【００４５】
錘４の具体的な重さは、収容物である景品の質量によっても異なるが、景品が例えばＴシャツ等の布類である場合には、１００〜５００ｇであることが好ましい。
【００４６】
錘４は、上部容器本体２の上部重合部２３の内側に位置するため、錘４の外径は、上部重合部２３の内径よりも若干小さくなるように設定される。錘４の高さおよび厚みは、錘４の質量が上記の範囲になるように適宜設定される。ただし、錘４の高さの上限は、容器本体１０の胴部１１（上部重合部２３・下部重合部３１）の高さとすることが好ましい。それを超えると、錘４が肩部２２および括れ部３２と干渉して、上部重合部２３の下部重合部３１への完全な挿入ができなくなる場合がある。錘４の厚みは、例えば約２ｍｍ程度とすることができるが、錘４の内側に所望の景品を保持することのできる大きさの内径が確保できれば、これに限られるものではない。
【００４７】
錘４の材質は、目的とする錘４の重さおよび形状に応じて適宜選択すればよく、例えば、鉄、ステンレススチール、真鍮、銀等の金属の他、陶器やガラス等であってもよい。
【００４８】
上部容器本体２と下部容器本体３とは、上部容器本体２の上部重合部２３を下部容器本体３の下部重合部３１の内側に挿入して容器１の軸方向にスライドさせ、互いに重なり合わせることにより、結合させることができる。この結合状態においては、外観上は、通常の飲料容器と同様の形状を有する。また、上部容器本体２の上部重合部２３を下部容器本体３の下部重合部３１から抜くように容器１の軸方向にスライドさせることにより、上部容器本体２と下部容器本体３とを分離させることができる。この状態にすることで、容器１の内部に錘４および景品を収容することが可能となる。
【００４９】
ここで、錘４を下部容器本体３に設けられた下部重合部３１の内側に挿入すると、錘４の下端が、図４に示すように、下部容器本体３における括れ部３２の上部の内壁３２１に係合することにより、錘４は、下部容器本体３の下部重合部３１の内側に保持される。このようにして、錘４は、容器本体１０の上下方向略中央部に位置することになるが、これにより、当該容器１を自動販売機で取り扱う際に、当該容器１の重心が好ましい位置にくる。
【００５０】
上記の状態で、上部容器本体２と下部容器本体３とを結合させる場合、上述の通り、錘４の外径は上部容器本体２の上部重合部２３の内径よりも若干小さく、上部容器本体２に設けられた上部重合部２３の外径は下部容器本体３の下部重合部３１の内径と略同じか、僅かに小さいため、錘４と下部容器本体３の下部重合部３１との間の空隙に、上部容器本体２の上部重合部２３が挿入されることとなる。すなわち、容器１の胴部１１においては、外側から、下部容器本体３の下部重合部３１、上部容器本体２の上部重合部２３、錘４の順に重なり合うこととなる。
【００５１】
実際に景品を入れて容器１を使用する方法について、図５に基づいて説明する。なお、図５では、容器本体１０およびキャップ５は断面図で示され、錘４は側面図で示される。本実施形態においては、景品の一例としてＴシャツ６を想定するが、景品はこれに限られるものではなく、例えば下着や水着などの他の衣服でもよいし、タオルなどの他の布類でもよいし、布類以外の製品であってもよい。
【００５２】
まず、Ｔシャツ６を折り畳み、折り畳んだＴシャツ６をロール状に巻いて錘４の内側に通す。このとき、錘４は、ロール状に巻いたＴシャツ６の中央部より上側になるように位置させる。
【００５３】
次に、錘４が下部容器本体３の下部重合部３１の内側に位置するまで、錘４の下側に出ているＴシャツ６、そして錘４を下部容器本体３内に挿入する。続いて、錘４と下部容器本体３の下部重合部３１との間の空隙に、上部容器本体２の上部重合部２３を挿入して容器１の軸方向にスライドさせ、錘４の上側に出ているＴシャツ６が上部容器本体２の内部に収まるように、上部容器本体２と下部容器本体３とを結合させる。
【００５４】
なお、キャップ５は上部容器本体２の口部２１に螺着していてもよいが、キャップ５を未装着の方が、上部容器本体２内部の空気を逃がすことができるため、上部容器本体２と下部容器本体３とを容易に結合させることができる。
【００５５】
上記のような状態にした後、上部容器本体２および下部容器本体３をカバーするようにシュリンクフィルムを装着することで、上部容器本体２と下部容器本体３との不測の分離を防止することができる。
【００５６】
以上のようにして、外観上は通常の飲料容器と同様の形状を有する容器１内にＴシャツ６を収容したもの（容器本体１０内に錘４およびＴシャツ６を収容したもの）が得られる。このＴシャツ６を収容した容器１は、自動販売機で取り扱い可能な飲料容器と同様の形状を有し、かつ、錘４によって所定の質量を有するものとなっているため、自動販売機で取り扱い可能であり、自動販売機において通常の飲料製品と同じように排出することができる。したがって、本実施形態に係る容器１によれば、飲料製品を店頭で販売する場合のみならず、飲料製品を自動販売機にて販売する場合にも景品を配布することができる。
【００５７】
また、本実施形態に係る容器１の容器本体１０は、口部２１の開口部の面積が小さくても、径の大きな胴部１１において上部容器本体２と下部容器本体３とを分離することで、上部容器本体２（上部重合部２３）および下部容器本体３（下部重合部３１）の面積の大きい開口部から、Ｔシャツ６のような布類を容器本体１０内に収容することができる。
【００５８】
以上説明した実施形態は、本考案の理解を容易にするために記載されたものであって、本考案を限定するために記載されたものではない。したがって、上記実施形態に開示された各要素は、本考案の技術的範囲に属する全ての設計変更や均等物をも含む趣旨である。
【００５９】
例えば、容器本体部１０の所望の部位、例えば、肩部２２や括れ部３２等には、文字や模様等が形成されていてもよい。また、容器本体部１０には、有色透明または不透明の色彩が付されていてもよい。
【００６０】
また、景品の替わりに商品を容器１内に収容することもでき、これにより、飲料製品用の自動販売機にて所望の商品を販売することもできる。
【産業上の利用可能性】
【００６１】
本考案に係る容器は、飲料製品を自動販売機にて販売する場合に景品を配布するのに有用である。
【符号の説明】
【００６２】
１…容器
１０…容器本体
１１…胴部
２…上部容器本体
２１…口部
２１１…フランジ部
２２…肩部
２３…上部重合部
３…下部容器本体
３１…下部重合部
３２…括れ部
３３…底部
３３１…脚部
３３２…窪み部
４…錘
４１…スリット
５…キャップ
６…Ｔシャツ（景品；収容物）
【図１】
0003159519.tif 000003
【図２】
0003159519.tif 000004
【図３】
0003159519.tif 000005
【図４】
0003159519.tif 000006
【図５】
0003159519.tif 000007
【手続補正書】
【提出日】平成22年3月12日(2010.3.12)
【手続補正１】
【補正対象書類名】実用新案登録請求の範囲
【補正対象項目名】全文
【補正方法】変更
【補正の内容】
【実用新案登録請求の範囲】
【請求項１】
全体として飲料容器と同様の形状を有する、景品収容用の容器であって、
結合・分離が可能な上部容器本体と下部容器本体とを備えており、
前記上部容器本体の下部および前記下部容器本体の上部には、互いに重なり合う重合部が設けられており、
前記上部容器本体の重合部と前記下部容器本体の重合部とを互いに容器軸方向にスライドさせることにより、前記上部容器本体と前記下部容器本体とは結合・分離する
ことを特徴とする容器。
【請求項２】
自動販売機で取り扱い可能な形状を有する、景品収容用の容器であって、
結合・分離が可能な上部容器本体と下部容器本体とを備えており、
前記上部容器本体の下部および前記下部容器本体の上部には、互いに重なり合う重合部が設けられており、
前記上部容器本体の重合部と前記下部容器本体の重合部とを互いに容器軸方向にスライドさせることにより、前記上部容器本体と前記下部容器本体とは結合・分離する
ことを特徴とする容器。
【請求項３】
全体として飲料容器と同様の形状を有する、景品収容用の容器であって、
結合・分離が可能な上部容器本体と下部容器本体とを備えており、
前記景品が布類である
ことを特徴とする容器。
【請求項４】
自動販売機で取り扱い可能な形状を有する、景品収容用の容器であって、
結合・分離が可能な上部容器本体と下部容器本体とを備えており、
前記景品が布類である
ことを特徴とする容器。
【請求項５】
景品を収容したときに自動販売機で排出可能な質量になるように、錘を備えたことを特徴とする請求項１〜４のいずれかに記載の容器。
【請求項６】
前記景品が布類であることを特徴とする請求項１、２および５のいずれかに記載の容器。
【請求項７】
前記布類が衣服であることを特徴とする請求項３、４および６のいずれかに記載の容器。
【請求項８】
前記衣服がＴシャツであることを特徴とする請求項７に記載の容器。
【請求項９】
前記錘が環状であることを特徴とする請求項５に記載の容器。
【請求項１０】
前記錘が円筒状であることを特徴とする請求項９に記載の容器。
【請求項１１】
前記錘の外径は、容器本体内にて前記錘が位置する部分における前記容器本体の内径よりも若干小さい大きさであることを特徴とする請求項９または１０に記載の容器。
【請求項１２】
前記錘の内径は、前記錘の内側に所望の収容物を保持することのできる大きさであることを特徴とする請求項９〜１１のいずれかに記載の容器。
【請求項１３】
前記錘には、シート類が挿入可能なスリットが形成されていることを特徴とする請求項９〜１２のいずれかに記載の容器。
【請求項１４】
前記スリットは、前記錘にて２つ形成されていることを特徴とする請求項１３に記載の容器。
【請求項１５】
前記２つのスリットは、前記環状の錘の略直径上に位置することを特徴とする請求項１４に記載の容器。
【請求項１６】
前記スリットは、前記錘にて垂直方向に延在していることを特徴とする請求項１３〜１５のいずれかに記載の容器。
【請求項１７】
前記錘は写真立てを構成することを特徴とする請求項１３〜１６のいずれかに記載の容器。
【請求項１８】
前記錘の質量は、当該容器、内容物および前記錘の合計質量が４００〜６００ｇとなるように設定されることを特徴とする請求項５、９〜１７のいずれかに記載の容器。
【請求項１９】
前記錘の質量は、１００〜５００ｇであることを特徴とする請求項５、９〜１８のいずれかに記載の容器。
【請求項２０】
前記容器本体には、内方に向かって凸になった凸部が形成されており、前記錘は、前記凸部に係合することで前記容器本体内に保持されることを特徴とする請求項９〜１９のいずれかに記載の容器。
【請求項２１】
前記凸部は、前記容器本体に形成された括れ部によって構成されることを特徴とする請求項２０に記載の容器。
【請求項２２】
前記錘は、環状であり、前記上部容器本体と前記下部容器本体との重なり部分の若干内側に位置することを特徴とする請求項５に記載の容器。
【請求項２３】
前記上部容器本体の重合部は、前記下部容器本体の重合部の内側に挿入されることを特徴とする請求項１または２に記載の容器。
【請求項２４】
前記容器は、全体として、自動販売機で取り扱い可能な飲料用ペットボトルと同様の形状を有することを特徴とする請求項１〜２３のいずれかに記載の容器。
【請求項２５】
前記容器は、キャップと、容器本体とを備えており、
前記容器本体は、全体として、前記キャップが取り付けられる口部と、前記口部に連続し下方にかけて漸次拡径する肩部と、前記肩部に連続する円筒状の胴部と、前記胴部に連続する括れ部と、前記括れ部に連続し下方にかけて若干縮径する底部とを有する
ことを特徴とする請求項１〜２４のいずれかに記載の容器。
【請求項２６】
前記容器本体は、結合・分離が可能な上部容器本体と下部容器本体とから構成され、
前記上部容器本体は、前記口部、前記肩部および前記胴部を有しており、
前記下部容器本体は、前記胴部、前記括れ部および前記底部を有しており、
前記上部容器本体の胴部と、前記下部容器本体の胴部とが互いに重なることにより、前記上部容器本体と前記下部容器本体とは結合する
ことを特徴とする請求項２５に記載の容器。
【請求項２７】
前記上部容器本体の胴部は、前記下部容器本体の胴部の内側に挿入されることを特徴とする請求項２６に記載の容器。
【請求項２８】
前記容器本体の円筒状の胴部の内側に、円筒状の錘が位置することを特徴とする請求項２７に記載の容器。
【請求項２９】
前記円筒状の錘の内側に景品が保持されていることを特徴とする請求項２８に記載の容器。
【請求項３０】
前記上部容器本体は、上端において２．５〜９ｃｍ２、下端において２０〜８０ｃｍ２の面積の開口部を有しており、前記下部容器本体は、上端において２０〜８０ｃｍ２の面積の開口部を有していることを特徴とする請求項１〜５、２２、２３、２６〜２９のいずれかに記載の容器。
【請求項３１】
前記上部容器本体と前記下部容器本体とが重なり合う高さは、１．５〜７ｃｍであることを特徴とする請求項１〜５、２２、２３、２６〜２９のいずれかに記載の容器。